(57)【特許請求の範囲】
【請求項１】
表面を反射面とする円形の本体部（２０ａ）と、その中心から径方向に延びて外周に達し、ここで開放されている溝状の分離部（２７）とを備え、この分離部（２７）を挟んで対向する一対の分離端部のうち、一方の分離端部（２８Ａ）に係合凸部（３４）を設け、他方の分離端部（２８Ｂ）に係合凹部（３５）を設け、一方の分離端部（２８Ａ）を他方の分離端部（２８Ｂ）に重ねて係合凸部（３４）を係合凹部（３５）に合わせて押し込んで係合させることにより、略円錐形の立体形状となる光制御部材において、
前記係合凸部（３４）は、径方向内側へ突出する係合爪（３８）を備え、
前記係合凹部（３５）は、前記係合爪（３８）を通す径方向の縦溝（４０）を備え、
この縦溝（４０）の径方向外側端部（４０ａ）は、外周にて開放され、これら縦溝（４０）と分離部（２７）に挟まれた部分が曲げ自在部（４２）をなすとともに、
この曲げ自在部（４２）は、押されたときその外周部が前記分離端部（２８Ｂ）の外周部から分離されて開くように折れ曲がることを特徴とする光制御部材。
【請求項２】
前記係合凸部（３４）は、径方向の溝（３６）とこの径方向内側端部に接続して周方向に前記分離部（２７）へ向かって延びて前記分離部（２７）へ開放されている横溝（３７）とにより、前記係合爪（３８）が前記分離部（２７）から分離されるとともに、
前記径方向の溝（３６）の径方向外側端部と、前記縦溝（４０）の径方向内側端部とが、それぞれ共通の同心円（Ｅ１）上に設けられていることを特徴とする請求項１の光制御部材。
【請求項３】
前記径方向の溝（３６）の径方向外側端部が止め穴（３９）をなし、前記縦溝（４０）の径方向内側端部が止め穴（４１）をなすことを特徴とする請求項２の光制御部材。
【請求項４】
前記径方向の溝（３６）は、径方向に対して傾斜する斜め溝になっていることを特徴とする請求項２又は３の光制御部材。
【請求項５】
前記係合凹部（３５）が周方向へ所定間隔で複数設けられていることを特徴とする請求項１の光制御部材。
【発明の詳細な説明】
【技術分野】
【０００１】
この発明は、植物に照射する反射光等を制御してその育成を促すようにした光制御部材に関する。
【背景技術】
【０００２】
果実に適正な反射光を照射するため、植物の最適場所へ着脱自在に取付けるようにした反射材がある（特許文献１）。
この反射材は、略円板状をなす本体部の一部に中心から径方向に延びて外周に達する分離部を設け、この分離部を挟んで対向する一対の縁部のうち、一方の縁部近傍に係合凸部を設け、他方の縁部近傍に係合凹部を設けるとともに、一方の縁部を他方の縁部近傍に重ね、係合凸部を係合凹部に合わせて押し込むことにより、係合凸部を係合凹部へ係合して略円錐状の立体形状にするものである。
【先行技術文献】
【特許文献】
【０００３】
【特許文献１】特開２０２０−１７１２２８号公報
【発明の概要】
【発明が解決しようとする課題】
【０００４】
上記反射材の係合凹部は、径方向の縦溝とこの径方向中間部に直交する横溝からなる略Ｔ字形の溝を設けたものである。係合凸部を押し込むときは、縦溝と横溝に囲まれた部分で、横溝を挟んで対向する一対の部分（開閉部という）に対して、その上に係合凸部を重ねて下方へ押しつけることにより、開閉部を折り曲げながら押し開き、この押し広げられてできる開口へ係合凸部を押し込むことになる。
したがって、係合凸部を押し込むとき開閉部からの摩擦抵抗が大きくなり、係合に際して比較的大きな力を指先に集中させなければならず、係合が容易ではなかった。
特に、農園における大量な植物に対して取付作業をするような場合には、係合を容易かつ迅速とし、効率的な係合作業を可能にすることが求められるが、係合に手間取り作業時間を長くしていた。
また、素材をある程度の強風に対抗できるような硬く強度のあるものにした場合は、摩擦抵抗に加えて材料自体の大きな曲げ抵抗も加わることになり、より一層係合に手間取ることになった。
さらに、手袋を嵌めて作業したい場合でも、手袋の指先部分の面積が大きくなるため、係合凸部に対して押しつける力が分散してより大きな力を必要としたり、押しつける場所を正確に決定できないため、押しつけが不十分になるなどの不都合があり、手早く作業するために手袋を外して作業せざるを得ない場合があった。
【課題を解決するための手段】
【０００５】
上記課題を解決するため、請求項１の発明は、表面を反射面とする円形の本体部（２０ａ）と、その中心から径方向に延びて外周に達し、ここで開放されている溝状の分離部（２７）とを備え、この分離部（２７）を挟んで対向する一対の分離端部のうち、一方の分離端部（２８Ａ）に係合凸部（３４）を設け、他方の分離端部（２８Ｂ）に係合凹部（３５）を設け、一方の分離端部（２８Ａ）を他方の分離端部（２８Ｂ）に重ねて係合凸部（３４）を係合凹部（３５）に合わせて押し込んで係合させることにより、略円錐形の立体形状となる光制御部材において、
前記係合凸部（３４）は、径方向内側へ突出する係合爪（３８）を備え、
前記係合凹部（３５）は、前記係合爪（３８）を通す径方向の縦溝（４０）を備え、
この縦溝（４０）の径方向外側端部（４０ａ）は、外周にて開放され、これら縦溝（４０）と分離部（２７）に挟まれた部分が曲げ自在部（４２）をなすとともに、
この曲げ自在部（４２）は、押されたときその外周部が前記分離端部（２８Ｂ）の外周部から分離されて開くように折れ曲がることを特徴とする。
【０００６】
請求項２の発明は上記請求項１において、前記係合凸部（３４）は、径方向の溝（３６）とこの径方向内側端部に接続して周方向に前記分離部（２７）へ向かって延びて前記分離部（２７）へ開放されている横溝（３７）とにより、前記係合爪（３８）が前記分離部（２７）から分離されるとともに、
前記径方向の溝（３６）の径方向外側端部と、前記縦溝（４０）の径方向内側端部とが、それぞれ共通の同心円（Ｅ１）上に設けられていることを特徴とする。
【０００７】
請求項３の発明は上記請求項２において、さらに、前記径方向の溝（３６）の径方向外側端部が止め穴（３９）をなし、前記縦溝（４０）の径方向内側端部が止め穴（４１）をなすことを特徴とする。
【０００８】
請求項４の発明は、上記請求項２又は３において、前記径方向の溝（３６）は、径方向に対して傾斜する斜め溝になっていることを特徴とする。
【０００９】
請求項５の発明は、上記請求項１において、前記係合凹部（３５）が周方向へ所定間隔で複数設けられていることを特徴とする。
【発明の効果】
【００１０】
請求項１の発明によれば、係合凹部（３５）に径方向の縦溝（４０）を設け、この縦溝（４０）の径方向外側端部（４０ａ）を外周にて開放し、これら縦溝（４０）と分離部（２７）に挟まれた部分を曲げ自在部（４２）とした。
そこで、一方の分離端部（２８Ａ）を他方の分離端部（２８Ｂ）に重ね、係合凸部（３４）を曲げ自在部（４２）の上に置いて係合爪（３８）を押すと、係合爪（３８）がその下のその曲げ自在部（４２）を押す。
【００１１】
すると、曲げ自在部（４２）はそれぞれが外周部で開放された縦溝（４０）と分離部（２７）の間に形成され、曲がり易くなっているので、曲げ自在部（４２）の外周部は、分離端部（２８Ｂ）の外周部から分離されて開くように折れ曲がる。
これにより、縦溝（４０）は分離端部（２８Ｂ）の面に沿う方向に対して大きく開口し、係合爪（３８）はこの開口をほとんど抵抗なく通って、分離端部（２８Ｂ）の裏側へ出て係合凹部（３５）へ係合する。
【００１２】
このため、曲げ自在部（４２）を軽い力で容易に曲げて、係合爪（３８）をほとんど抵抗なく係合させることができる。しかも、曲げ自在部（４２）が曲がり易いため、係合爪（３８）側の押す場所が多少アバウトでも係合できる。また、手袋を嵌めたままでも作業できる。
したがって、係合が容易かつ迅速になり、係合作業の効率を上げることができる。特に、大量の光制御部材を植物へ取り付ける作業に好適である。
【００１３】
請求項２の発明によれば、係合凸部（３４）の係合爪（３８）を、連続する径方向の溝（３６）と横溝（３７）とにより分離部（２７）から分離して形成した。また、横溝（３７）を分離部（２７）へ開放させたので、係合爪（３８）を曲げて、横溝（３７）に臨む端部を分離端部（２８Ａ）から離し、縦溝（４０）内へ入れることができる。
【００１４】
さらに、係合凸部（３４）の径方向の溝（３６）の径方向外側端部と、係合凹部（３５）の縦溝（４０）の径方向内側端部とを、それぞれ共通の同心円（Ｅ１）上に設けたので、
係合凸部（３４）を係合凹部（３５）に係合させるとき、係合爪（３８）を縦溝（４０）に通し、径方向の溝（３６）の径方向外側端部を、縦溝（４０）の径方向内側端部と一致させて係合させることができる。
【００１５】
請求項３の発明によれば、係合凸部（３４）における径方向の溝（３６）の径方向外側端部が止め穴（３９）をなし、係合凹部（３５）における縦溝（４０）の径方向内側端部が止め穴（４１）をなすので、各溝の端部における破損を止め穴で防止できるとともに、係合凸部（３４）と係合凹部（３５）の係合を、両止め穴相互の係合で確実におこなうことができる。
【００１６】
請求項４の発明によれば、係合凸部（３４）における径方向の溝（３６）が、径方向に対して傾斜する斜め溝になっているので、係合爪（３８）の係合辺（３８ｂ）を斜めにして、係合凹部（３５）との係合を強くすることができる。
【００１７】
請求項５の発明によれば、係合凹部（３５）を周方向へ所定間隔で複数設けたので、係合凸部（３４）との係合位置を周方向で調整でき、略円錐形の立体形状をなす光制御部材の傾斜角度を適切に調整できる。
【図面の簡単な説明】
【００１８】
【図１】光制御部材を果実植物に取付けた使用状態を示す図
【図２】光制御部材の斜視図
【図３】本体部の平面図
【図４】係合部の展開拡大平面図
【図５】係合部における係合時状態の拡大平面図
【図６】図５のｄ矢示図及び６−６線断面図
【図７】係合工程の説明図
【図８】同上図
【図９】同上図
【発明を実施するための形態】
【００１９】
以下、図面に基づいて一実施形態を説明する。
図１は、果実植物１０に対して略円錐状をなす光制御部材２０を取付けた状態を示す。
また、図中の丸囲み拡大部ａに、植物へ取付けた状態にある光制御部材２０の拡大断面を示す。なお、光制御部材２０は直径方向の断面で示してある。
【００２０】
この果実植物１０は、リンゴや桃などの適宜の果実１２を有する果樹や、トマトやパプリカ等の適宜の果実１２を有する果菜類からなる。果菜類は、地面から高く離れた果実も照射できるようにするため、比較的高性になるものが好ましい。
【００２１】
この果実植物１０は茎（幹）１４を、その周囲へ張り出す多数の枝１６を備え、枝１６に
は果実１２が垂れ下がり状もしくは起立状等種々の形式で支持されている。また、この図では省略されているが、多数の葉も形成されている。
茎（幹）１４や枝１６には光制御部材２０が直接取付けられている。茎（幹）１４や枝１
６は本願発明における光制御部材の取付対象部である。
【００２２】
光制御部材２０は、ほぼ上方へ向かって拡開する傾斜面を有する略円錐状をなす部材であり、果実１２へ向かって最適光量の反射光を照射する位置に設けられている。
なお、反射光は、光制御部材２０の内面２１により集光方向に形成される反射光Ｒ１と、外面２２により拡散方向に形成される反射光Ｒ２を含む。
光制御部材２０は、特定場所への集光や拡散、さらには遮光等することができ、特定場所に対する光量を制御するための部材である。
【００２３】
光制御部材２０の設置位置は、反射光Ｒ１が果実１２を照射するのに最適な位置とする。
なお、光制御部材２０は茎（幹）１４及び枝１６に対して着脱自在である。また茎（幹）１４及び枝１６の長さ方向に沿って移動することも自在であり、植物の成長に合わせて取付位置も適宜移動もしくは変更して調整できる。
【００２４】
さらに、光制御部材２０の茎（幹）１４及び枝１６に対する取付角度も自由に調整でき、茎（幹）１４及び枝１６に対して適当に傾けて取付けることにより、反射光の方向を最適となるように調整できる。
【００２５】
図１の丸囲み部ａに示すように、光制御部材２０は本体部２０ａからなり、その円錐形をなす周壁が、円錐の中心を通る中心線ＣＬに直交する水平面ｈに対してθなる傾きを有する傾斜面をなす。θは光制御部材２０の傾斜角度である。
【００２６】
図２は円錐の頂点を水平面上に置き、開口側を上方へ向けて配置した状態における光制御部材２０の斜視図である。この図に示すように、光制御部材２０は本体部２０ａが上方へ開放されたは凹部を有する略円錐状の容器状をした立体形状をなす。             
この状態において 凹部に臨む面を内面２１とする。また、内面２１の反対側は外面２２であり、図の下方へ凸状をな部分の表面である。
【００２７】
内面２１は、光制御部材２０からの反射光よりなる自然光や人工光もしくは他の種々な方向の入射光Ｌを中心線ＣＬ（図１のａ参照）方向へ集めるように反射する反射光Ｒ１とする集光面をなす。
【００２８】
外面２２は、逆に、中心線ＣＬに沿う方向からの入射光を中心線ＣＬから離れる方向へ反射して拡散させる反射光Ｒ２とする拡散面をなす。
外面２２による拡散光は、植物の果実１２や葉などへ局部的に光を集中させずに分散して照射することにより広範囲に照射して、果実１２等の生育に光を有効利用する。
【００２９】
光制御部材２０の中心部には、中心穴２３が貫通して形成され、ここに茎（幹）１４や枝１６を通すようになっている。中心穴２３の直径は、取付対象として最小の細枝の直径よりもさらに小さい程度の小さなものである。
【００３０】
図３（特に拡大部ｃ）にも示すように、中心穴２３の周囲には、放射方向へ複数の中心部スリット２４が形成されている。中心部スリット２４の一端は中心穴２３に達して開放され、他端は止め穴２５に達している。
【００３１】
止め穴２５は、中心部スリット２４から周囲へ向かって破れが進まないようにするためのものであり、中心穴２３を囲む共通の同心円（仮想）Ｅ２上に形成されている。
隣り合う中心部スリット２４の間の部分は舌片状弁２６をなす。この舌片状弁２６は中心穴２３に臨む先端部が自由端をなし、自由に変形できる。
【００３２】
舌片状弁２６を設けることにより、中心穴２３より大きな直径の茎（幹）１４や枝１６を中心穴２３に通しても、舌片状弁２６が変形してこれを通すとともに、舌片状弁２６が茎（幹）１４や枝１６の外周に密着して長さ方向への移動を阻止する。
このため、光制御部材２０は中心穴２３により、茎（幹）１４及び枝１６の外周へ直接固定される。
【００３３】
また、舌片状弁２６が変形自由なため、光制御部材２０を茎（幹）１４及び枝１６へ直接取付けても、茎（幹）１４及び枝１６が傷付かないように保護される。
しかも、光制御部材２０を長さ方向へ力を加えることにより、舌片状弁２６を変形させて光制御部材２０を移動させることができる。このため、光制御部材２０を取り外すことなく、植物の成長に合わせて光制御部材２０の取付位置を長さ方向へ移動及び変更調整可能になる。なお、中心部スリット２４の数や長さは適宜に設定できる。
【００３４】
なお、図２及び図３において、中心部スリット２４、止め穴２５及び舌片状弁２６の符号指示は、煩雑さを避けるため、一部だけとし、他は省略している。符号Ｏは光制御部材２０及び中心穴２３の中心である。
【００３５】
図３は、立体形状の光制御部材２０になる前の状態である円板状をなす平面部材３０の平面視形状を示す。平面部材３０は原料部材３１（後述）からカットされる。
平面部材３０の径方向には、中心穴２３から平面部材３０の外周部まで連続して形成されるスリット状の分離部２７が設けられ、分離部２７に臨む一対の端縁３３Ａ、３３Ｂを周方向へ分離している。
【００３６】
この分離部２７を設けることにより、平面部材３０の外周外方から茎（幹）１４及び枝１６を分離部２７へ入れ、さらに分離部２７を通して径方向内方へ移動させ、中心穴２３へ密に入れることができるようになっている。したがって、平面部材３０を、茎（幹）１４や枝１６の側方へ取付けることができる。分離部２７の大きさは自由である。但し、できるだけ狭い方が組立時の光制御面積を大きくできる。
【００３７】
なお、平面部材３０のうち分離部２７の近傍部は分離端部２８Ａ、２８Ｂをなす。分離端部２８Ａ、２８Ｂは分離部２７を挟んで対向し、一方側が端縁３３Ａを有する分離端部２８Ａをなし、他方側が端縁３３Ｂを有する分離端部２８Ｂをなす。
分離端部２８Ａには係合凸部３４が形成され、分離端部２８Ｂには係合凹部３５が形成されている。係合凸部３４及び係合凹部３５は本願発明における係合部を構成する。
【００３８】
係合凸部３４及び係合凹部３５は、中心穴２３の同心円Ｅ１上に形成される。係合凸部３４は一方の端縁３３Ａ近くに一つ形成される。
係合凹部３５は他方の端縁３３Ｂ近くから、同心円Ｅ１上に周方向へ一定間隔もしくは不等間隔の所定間隔で複数形成される。但し、係合凹部３５の数は一つだけでもよい。
係合凹部３５を複数設ければ、係合凸部３４との係合位置を周方向で調整でき、略円錐形の立体形状をなす光制御部材の傾斜角度を適切に調整できる。
【００３９】
なお、周方向（同心円Ｅ１に沿う方向）のうち、分離端部２８Ａにおいて端縁３３Ａから時計回り方向へ離れる部分を分離端部２８Ａの周方向内側ということにする。同様に、分離端部２８Ｂにおいて端縁３３Ｂから反時計回り方向へ離れる部分を、分離端部２８Ｂの周方向内側ということにする。複数の係合凹部３５は分離端部２８Ｂの周方向内側へ向かって設けられる。
【００４０】
次に、光制御部材２０の成形方法を説明する。
図３は、平面部材３０を成形する状態を示す。平面部材３０は原反ロール等で供給されるシート状の原料部材３１からカットされる。
原料部材３１は、反射しやすい素材、例えば白色の平板状をなすシート状部材であり、復元弾性に富む、腰がありかつ軽い軟質フォーム材料からなり、例えばポリエチレンフォームや発泡スチロールからなる。
【００４１】
ただし、適度な強度や反射率を備えて軽量である点より、ポリエチレンフォーム、ポリウレタンフォーム等適宜フォーム材料の使用が好ましい。また、雨に濡れても重くならないようにするため、独立気泡性のものが好ましい。
フォーム材料の場合は、発泡倍率により曲げ等の強度が変化する。そこで、厚さと発泡倍率を調節して、係合の容易性、全体強度、重量が最適となるように材料を選定する。
【００４２】
このような原料部材３１の材料として、特に、架橋高発泡ポリエチレンが、高強度、軽量及び強反射率のバランスがよく、本願の光制御板に好適である。この市販品としては商品名ソフトロンＳシリーズ（積水化学工業株式会社）がある。
【００４３】
なお、腰があるとは、所定大きさの外力（風など）に対して形状保持が可能な剛性を備え、かつ所定大きさを越えた外力により変形しても、この大きな外力が除かれると変形前の状態へ復元する弾力を有する状態を意味する。また、後述する係合部において係合時に曲げても、塑性変形して復元できない状態に折れ曲がるようなことがなく、曲げの力を除くと曲げる前の状態に復元できるような性質も含む。
【００４４】
この原料部材３１に対して、平面部材３０の外径より若干大きな所定形状に形成されたパンチ型（図示省略）によりプレスカットすれば、略円板状の平面部材３０が形成される。３２はこのときの抜き溝である。平面部材３０は本体部２０ａからなる部材であり、平板状をなす点で立体形状の光制御部材２０と異なるだけである。
【００４５】
なお、このプレスカット時において、中心穴２３、中心部スリット２４、止め穴２５及び
分離部２７並びに係合凸部３４及び係合凹部３５が同時に形成される。
係合凸部３４は分離部２７を挟んで位置する平面部材３０の一部である一方の分離端部２８Ａ及び他方の分離端部２８Ｂに形成される。
【００４６】
このようにすると、平板状の部材をワンパンチでカットするだけで平面部材３０の成形作業が済むので、製造が容易かつ短時間で済むことになり、製造コストも安価になる。
平面部材３０のカット後、分離部２７を挟む一方の分離端部２８Ａを他方の分離端部２８Ｂに重ね、さらに係合凸部３４を係合凹部３５を重ね合わせて押し込んで係合することにより、平面部材３０は略円錐形の立体形状をなす光制御部材２０になる。
このため、平板状の平面部材３０を用いて、略円錐形の立体形状をなす光制御部材２０を容易に形成できるとともに、係合により簡単に組み立てることができる。
【００４７】
次に、係合凸部３４及び係合凹部３５の構造について詳細に説明する。
図４は図３の丸囲み部ｂにおける係合凸部３４及び係合凹部３５を拡大して示す。但し、説明を容易にするため同心円Ｅ１を直線で示してあり、係合凸部３４及び係合凹部３５を一直線上に並べて配置してある。
【００４８】
係合凸部３４は、分離端部２８Ａの同心円Ｅ１より径方向内方部分に形成される斜め溝３６と横溝３７により、分離端部２８Ａから切り離されて折り曲げ可能であり、径方向内側へ突出する係合爪部３８を有する。
斜め溝３６は傾斜して径方向へ延び、その径方向内側端部３６ａで屈曲して横溝３７に連続する。
横溝３７は端縁３３Ａに向かって周方向へ延び、その先端部３７ａは端縁３３Ａに達して分離部２７へ開放されている。
【００４９】
斜め溝３６は径方向内側端部３６ａが端縁３３Ａから遠ざかるように傾斜（換言すれば、径方向外側端部が端縁３３Ａへ接近するように傾斜）し、その径方向外側端部は止め穴３９に接続している。斜め溝３６の径方向内側端部３６ａは、止め穴３９に対して分離端部２８Ａの周方向内側となる位置に設けられる。
【００５０】
係合爪部３８の斜め溝３６に臨む縁部が係合凹部３５との係合辺３８ｂになる。この係合辺３８ｂの長さは、係合爪部３８の角部３８ａと止め穴３９との間の距離であり、ほぼ斜め溝３６の長さと一致する。
係合辺３８ｂが長いと係合凹部３５との係合を強くする。但し、この係合辺３８ｂの長さは、係合爪部３８の角部３８ａが止め穴３９より径方向内側へ突出する構成を有する範囲で任意に設定できる。
【００５１】
係合爪部３８の角部３８ａは、斜め溝３６の径方向内側端部３６ａに臨む部分である。
角部３８ａは端縁３３Ａから離れるように周方向へ略鋭角状に突出する。この角部３８ａを設けることにより係合凹部３５へ強く係合することができる。
但し、斜め溝３６を径方向へ真っ直ぐ形成し、斜め溝３６と横溝３７を略直角に屈曲させ、この屈曲部に臨む係合爪部３８の角部３８ａを略直角にしてもよい。この場合、斜め溝３６は径方向溝と名称を変更する。
【００５２】
止め穴３９は同心円Ｅ１上に設けられ、斜め溝３６の端部において亀裂が発生して破損されることを防止している。
止め穴３９の直径は斜め溝３６の幅より大きく、この例では、止め穴３９の直径に対する斜め溝３６の幅は、１／５〜１／３程度である。横溝３７の溝幅は斜め溝３６と同程度である。
【００５３】
係合凹部３５は、分離端部２８Ｂに設けられた、径方向に直線状をなす縦溝４０と、その径方向内側端部をなす止め穴４１と、これらと端縁３３Ｂの間に形成される曲げ自在部４２を備える。止め穴４１は同心円Ｅ１上に設けられ、縦溝４０が接続されている。
【００５４】
止め穴４１は止め穴３９と同機能かつ同径の穴である。また、縦溝４０の溝幅も係合凸部３４における斜め溝３６と同程度である。
また、止め穴３９と同４１を同心円Ｅ１上に設けたので、一方の端縁３３Ａを他方の同３３Ｂの上に重ね、分離端部２８Ａを同２８Ｂの上に重ねたとき、止め穴３９を同４１の上に重ねることができる。
【００５５】
縦溝４０の径方向外側端部４０ａは、分離端部２８Ｂの外周に達し、ここで開放されている。この縦溝４０が径方向外側端部４０ａを開放されていることにより、曲げ自在部４２は、分離端部２８Ｂの面に向かう押圧力で、速やかに押圧方向へ折れ曲げられるようになっている。
【００５６】
他方の分離端部２８Ｂにおける止め穴４１より端縁３３Ｂと周方向反対側部分を反端縁部４３、止め穴４１より径方向内側部分を内側部４４とする。
一方の分離端部２８Ａも、止め穴３９より端縁３３Ａ側かつ横溝４１より径方向外側部分を外側部４５とする。また、分離端部２８Ａの横溝４１より径方向内側部分を内側部４６とし、止め穴３９より端縁３３Ａと周方向反対側部分を反端縁部４７とする。
【００５７】
図５は分離端部２８Ａを同２８Ｂの上に重ね、係合凸部３４を係合凹部３５の上へ重ねて係合凹部３５へ係合した状態における係合部の平面視を示す。図６のＡは、図５のｄ矢示図方向図（径方向外方から係合部を示す図）、図６のＢは図５の６−６線に沿う断面図である。
なお、図５は光制御部材の表側を示し、図２に示す内面２１側でもある。紙面の下側が裏側となり、図２に示す外面２２側でもある。表側と裏側は図６に矢示する。
【００５８】
図６のＡは、図５のｄ矢示図であり、図６のＢは図５における６−６線に沿う断面図である。図６のＡに示すように、係合爪部３８は係合凹部３５の縦溝４０からへ裏側へ出て、分離端部２８Ｂの反端縁部４３の裏側へ重なる。また、係合爪部３８の角部３８ａ側は曲げ自在部４２（内側部４４）の裏側へ重なる。
分離端部２８Ａの内側部４６は、分離端部２８Ｂにおける内側部４４の表側へ重なる。
【００５９】
このとき、止め穴３９と同４１は、図６のＢに示すように、互いに係合する。このように止め穴３９及び４１を相互に係合させることで、両止め穴３９及び４１が反対方向へ引っ張られても相対的にずれて移動しないので、係合位置が正確になり強固に結合する。
【００６０】
次に、係合凸部３４と係合凹部３５の係合について説明する。
図７〜図９は、係合工程を示し、各図においてＡに係合対象部の平面視、Ｂに斜視図を示す。
図７のＡ及びＢは、端縁３３Ａを同３３Ｂの上に重ね、分離端部２８Ａを同２８Ｂの上に重ねた段階の図である。端縁３３Ａは、縦溝４０より端縁３３Ｂ側に位置し、分離端部２８Ａの外側部４５が分離端部２８Ｂの曲げ自在部４２に重なっている。
【００６１】
図８のＡ及びＢは、外側部４５を曲げ自在部４２と一緒に、分離端部２８Ａを同２８Ｂの面に対して表側から裏側へ向かう方向すなわち面対向方向へ押し込んだ段階を示す。外側部４５を面対向方向に押すと、曲げ自在部４２は押されて外側部４５と一緒に裏側へ曲げられ、縦溝４０が大きく開き、係合爪部３８をほぼ抵抗なく通すことができる程度に開口する。このとき縦溝４０は、周方向から見たとき、分離端部２８Ｂ（反端縁部４３）と、裏側へ曲がった曲げ自在部４２との間で、略Ｖ字状をなして大きく開口する。
【００６２】
このとき、曲げ自在部４２は、略平行する２つの溝である、縦溝４０と分離部２７とに挟まれ、かつ縦溝４０の径方向外側端部４０ａが開放され、曲げ自在部４２の外周部が曲がるときの自由端になっている。
このため、自己の曲げ弾性に見合う程度の軽い力で表側から裏側へ向かって押すと、曲げ自在部４２の外周部は、分離端部２８Ｂ（反端縁部４３）の外周部及び分離端部２８Ａの外周部と分離し、あたかも花の花弁が開くように裏側へ向かって開く。別言すれば押し倒されるようにして容易に裏側へ曲がり、縦溝４０を大きく開く。
【００６３】
しかも、曲げ自在部４２は押せば押すほど大きく曲げ変形し、縦溝４０の開口をより大きくすることができる。
したがって、押しを強くすれば、曲げ自在部４２の曲げを大きくし、縦溝４０の開口をより大きくすることができ、押しの程度により縦溝４０の開口の大きさを自由に調整できる。
【００６４】
また、係合爪部３８は、連続する斜め溝３６及び横溝３７からなる連続する溝により分離端部２８Ａから切り離され、かつ分離部２７で分離端部２８Ｂから分離され、そのうえ、横溝３７の先端部３７ａは端縁３３Ａにて開放されている。このため、係合爪部３８は斜め溝３６及び横溝３７から容易に曲がり、斜め溝３６に臨む係合辺３８ｂ及び横溝３７に臨む縁部３８ｃは、反端縁部４７及び内側部４６から切り離されて浮き上がり、縦溝４０へ入ることが可能になる。
【００６５】
さらに、係合爪部３８と連続し、かつ分離部２７で分離端部２８Ｂから分離されている分離部２７Ａの外側部４５は、係合爪部３８と共にこれらの曲げ弾性程度の軽い力で表側から裏側へ向かって押すと、係合爪部３８と一緒に裏側へ容易に曲がる。
【００６６】
そこで、分離部２７Ａの外側部４５と係合爪部３８を曲げ自在部４２の上に重ね、軽い力で表側から裏側へ向かって押すと、外側部４５と係合爪部３８並びに曲げ自在部４２は一緒になって押し倒されるように裏側へ容易に曲がり、縦溝４０を大きく開いて、係合爪部３８を周方向から通すことが可能になる。
【００６７】
なお、この際における係合凸部３４と係合凹部３５の相対位置は、外側部４５と係合爪部３８の曲げにより変形した係合爪部３８が、縦溝４０の近傍に位置して、その中へスムーズに入り込めるようにするため、端縁３３Ａが縦溝４０と端縁３３Ｂの間になるように予め調整しておく。
【００６８】
係合凸部３４を押す位置は、外側部４５と係合爪部３８からなる部分におけるどの位置でもよい。特に、外側部４５と係合爪部３８が重なる曲げ自在部４２が曲がり易くなっているので、外側部４５と係合爪部３８のどの位置を押しても、外側部４５と係合爪部３８並びに曲げ自在部４２を容易に曲げることができる。したがって、押す位置が広くなってある程度アバウトでもよいことになり、それだけ係合作業が容易かつ迅速になる。
【００６９】
図９のＡ及びＢは、係合凸部３４と係合凹部３５の係合状態を示す。係合爪部３８を大きく開かれた縦溝４０へほぼ抵抗なく通して、外側部４５を反端縁部４３の裏側へ出し、係合爪部３８及び外側部４５を押していた力を解き、分離端部２８Ａを分離端部２８Ｂ側に向かって周方向へ押し込む。これにより止め穴３９が縦溝４０へ入ったとき、径方向内方へずれさせると、止め穴３９と同４１が係合する。
【００７０】
また、係合爪部３８、外側部４５及び曲げ自在部４２は曲げ状態から復元し、係合爪部３８及び外側部４５は反端縁部４３の裏側へ重なり、曲げ自在部４２は分離端部２８Ａの反端縁部４７の裏側へ重なる。
分離端部２８Ａ側の内側部４６は、分離端部２８Ｂ側の内側部４４に対してその表側へ重なる。
これにより、係合凸部３４と係合凹部３５が係合し、分離端部２８Ａと同２８Ｂが強固に連結し、立体形状の光制御部材２０となる。
【００７１】
次に、本実施形態の作用を説明する。
まず、平板状の平面部材３０を植物へ取付ける。このとき平面部材３０の分離部２７を植物の取付対象部となる茎（幹）１４や枝１６の側部へ当て、分離部２７内へ押し込み、舌片状弁２６を変形させて中心穴２３内へ入れる。
【００７２】
この状態から、係合凸部３４側の端縁３３を係合凹部３５側の端縁３３の上へ重ね、さらに係合凸部３４を係合凹部３５の上へ重ね、係合凸部３４を指（又は手袋の指部）で押すと、係合凸部３４と係合凹部３５が係合する。
これにより、平面部材３０は略円錐形の立体形状をなす光制御部材２０となり、かつ茎（幹）１４又は枝１６は、中心穴２３内へ舌片状弁２６の弾性変形により弾力的に支持されて直接固定される。
しかも、フォーム材等の使用により軽量になっているので、植物への直接取付が可能になる。
【００７３】
また、中心穴２３の周囲部分が変形自由な舌片状弁２６となっているので、植物の取付対象部が太さを異にしても光制御部材２０の直接取付を可能にするとともに、植物の取付対象部を傷つけないように保護できる。
【００７４】
このようにして光制御部材２０は、植物の光制御が必要とされる場所へ簡単かつ迅速に設置でき、最適な場所へ十分な光量の反射光を照射する等の光制御が可能になる。
また、この光制御は、植物の特定場所に対して、集光や散光もしくは遮光等して、光の強度を自由に調整するので、植物の効率的な生育を助長できる。
【００７５】
なお、本実施形態では、複数の係合凹部３５を設けてある。したがって、係合凹部３５を選択して係合凸部３４を係合すると、円錐形状が変化し、円板部２１の傾斜角度θ（図１）が変化する。すなわち、係合凸部３４が端縁３３Ｂから遠い係合凹部３５と係合すると傾斜角度がきつくなる。したがって、円板部２１の傾斜角度θを調整可能となり、使用目的に応じて反射光等の光量を調整する自由度を大きくできる。
【００７６】
その後、植物の成長に応じて、必要により茎（幹）１４や枝１６の取付対象部に対する光制御部材２０の取付角度を調整したり、茎（幹）１４や枝１６の長さ方向に沿って取付位置を調整すれば、光制御部材２０の内面２１による集光及び外面２２による拡散光等の光量を調整して、成長に合わせた最適な光制御ができ、果実１２の熟成や植物全体の育成が促進される。
【００７７】
また、係合凹部３５は、径方向の縦溝４０を備え、その径方向外側端部４０ａを開放したので、この縦溝４０と、やはり外周部が開放された分離部２７の２つの溝に挟まれた曲げ自在部４２は著しく曲がり易くなっている。
そこで、曲げ自在部４２を押すと、曲げ自在部４２の外周部は、分離端部２８Ｂ（反端縁部４３）の外周部及び分離端部２８Ａの外周部と分離して、曲げ自在部４２だけがあたかも花の花弁を開くように開く。
【００７８】
したがって、曲げ自在部４２は、係合爪部３８を押しつけたとき、分離端部２８Ａ及び同２８Ｂから分離して押し倒されるようにスムーズに折れ曲がる。これにより縦溝４０を大きく開口させ、この開口から係合爪部３８を分離端部２８Ｂ（反端縁部４３）の面に沿う方向から通して、分離端部２８Ｂ（反端縁部４３）の裏面へほとんど抵抗なくスムーズに差し込むことができ、止め穴３８を同４１へ係合させることができる。
【００７９】
しかも、曲げ自在部４２が著しく容易に曲がるため、係合爪部３８や外側部４５を軽い力で押すだけで、曲げ自在部４２を一緒に容易に曲げることができる。
このため係合爪部３８や外側部４５を押す場所は、正確にピンポイントを押すことを要求されず、かなりアバウトでも足りる。
【００８０】
したがって、指や手袋の指部で係合凸部３４（係合爪部３８）を係合凹部３５へ押し込んで係合させる形式のものであっても、容易かつ迅速に係合することができ、植物に対する取付時の作業性が向上する。
また、素材を硬く強度のあるものにした場合でも、係合を容易にできるので、より高強度の材料を用いることが容易になる。
【００８１】
特に、植物に対して手袋をつけたままで作業する場合でも、手袋の指部で容易に係合させることができるようになるので、手袋を外さずに係合作業ができ、大量の光制御部材２０を植物へ取付ける際の作業が効率化できる。
【００８２】
また、斜め溝３６の端部を止め穴３９とし、この止め穴３９を係合部にした。同様に、縦溝４０の径方向内側端部を止め穴４１とし、この止め穴４１をを係合部にした。
このため、止め穴３９及び同４１を本来の斜め溝３６及び縦溝４０の端部における破損阻止として機能させると同時に、係合部として機能させることができる。
しかも、止め穴３９と同４１を係合させたので、より強い係合を実現できる。
【００８３】
なお、本願は上記実施形態に限らず、種々変形可能である。
例えば、本願に係る光制御部材２０は、特定の場所へ反射光を集中させる反射板としての使用だけでなく、逆に、強い外光を拡散して広範囲を照射する拡散板として、また外光をほとんど遮蔽する遮光板としても使用できる。
【００８４】
係合凸部３４の数は、複数であってもよい。この場合は図３において、２個目の係合凸部を仮想線で示すように、横溝３７を分離端部２８Ａの周方向内側へ延長し、斜め溝３６と並ぶ別の斜め溝を分離端部２８Ａの周方向内側に設けて横溝３７に接続させる。この別の斜め溝も同心円Ｅ１上に設けた別の止め穴へ接続させる。別の斜め溝は斜め溝３６と傾斜を異ならせてもよい。
【００８５】
なお、本例のように係合凸部３４を分離端部２８Ａ内に設けず、分離端部２８Ａの外に設けてもよい。例えば、端縁３３Ａから周方向へ突出する横部材と、その先端から屈曲して径方向内側へ向かう縦部材からなる鈎形の係合凸部を分離端部２８Ａと一体に形成してもよい。
【００８６】
係合凹部３５も複数設けることができる。この場合、分離部２７側から最初の係合凹部３５は曲げ自在部４２が縦溝４０と分離部２７の間に形成される。２番目以降は、隣接する２本の縦溝間に形成される。
【００８７】
また、縦溝４０は中心Ｏ（図３）から放射方向に設けられるだけでなく、これに傾斜するように設けてもよい。この傾斜方向は同心円Ｅ１上の径方向内側端部が端縁３３Ｂへ向かうよう傾斜するものと、逆に傾斜するもののいずれもが可能であり、傾斜程度は自由である。
【符号の説明】
【００８８】
１０：果実植物、１２：果実、１４：茎（幹）、１６：枝、２０：光制御部材、２１：内面、２２：外面、２３：中心穴、２４：中心部スリット、２５：止め穴、２７：分離部、２８Ａ・２８Ｂ：分離端部、３０：本体部、３１：原料部材、３４：係合凸部、３５：係合凹部、３６：斜め溝、３７：横溝、３８：係合爪、３９：止め穴、４０：縦溝、４１：止め穴、４２：曲げ自在部
【要約】
【課題】分離部を挟む一方の分離端部に設けた係合凸部を、他方の分離端部に設けた係合凹部へ重ねて押し込むことにより係合するようにした光制御板において、係合凸部を係合凹部へ押し込むとき、係合凹部側の抵抗が大きく、容易に押し込みできない。
【解決手段】円板状の平面部材３０に、中心から径方向へ延びて外周へ達する分離部２７を設け、この分離部２７を挟む一方の分離端部２８Ａに係合凸部３４を設け、他方の分離端部２８Ｂに係合凹部３５を設ける。係合凹部３５は連続する斜め溝３６と横溝３７により分離端部２８Ａから分離された係合爪３８を有する。係合凹部３５は径方向の縦溝４０を備え、その径方向外側端部４０ａは開放されている。縦溝４０と分離部２７の間は曲げ自在部４２をなす。係合爪３８を曲げ自在部４２に重ねて軽い力で押すと、曲げ自在部４２が容易に曲がり、縦溝４０を大きく開口し、係合爪３８を抵抗なく通して係合させる。
【選択図】図４【図１】
0006945095.tif 000002
【図２】
0006945095.tif 000003
【図３】
0006945095.tif 000004
【図４】
0006945095.tif 000005
【図５】
0006945095.tif 000006
【図６】
0006945095.tif 000007
【図７】
0006945095.tif 000008
【図８】
0006945095.tif 000009
【図９】
0006945095.tif 000010